(57)【要約】  食品混合装置（２０）は、カップ（Ｃ）内の食品を混合するための撹拌器（２５）を有している。カップホルダ（３１）は、前記カップ（Ｃ）を受容する可撓性のブーツ（３２）が設けられている。カップホルダ（３１）は、前記装置（２０）内の開口部（９０）を通って移動可能であり、把持アセンブリ（３３）とアクチュエータアセンブリ（３４）を保持している。アクチュエータアセンブリ（３４）は、前記把持アセンブリ（３３）に対して移動可能であり、把持アセンブリ（３３）のフィンガー部（５６）をカップ（Ｃ）と係合させたままにするためにバネ（３５）によって付勢されている。カップ（Ｃ）を解放することが望まれる時、解放アセンブリ（８０）が、バネ（３５）の付勢を克服する。カップホルダ（３１）が開口部（９０）を通って移動する時、カップホルダ（３１）と開口部（９０）との間の領域は、食材が開口部（９０）を通って行くことができないよう、シールアセンブリ（９１）によってシールされる。
2013521929.tif 000002
【特許請求の範囲】
【請求項１】
カップ内の食品を混合する撹拌器を有する食品混合装置であって、
前記カップをその中に受容するように適合されたカップホルダと、
前記カップホルダ内に配置された把持部材と、
把持アクチュエータと、
を備え、
前記把持アクチュエータは、当該把持アクチュエータの動作に基づいて前記把持部材が選択的に前記カップに係合しまたは当該カップを解放するように、前記把持部材に対して可動である
ことを特徴とする食品混合装置 。
【請求項２】
前記把持部材は、前記カップに係合するように適合されたフィンガー部を含んでいる
ことを特徴とする請求項１に記載の食品混合装置。
【請求項３】
前記食品混合装置は、前記フィンガー部が前記カップに係合するというように前記撹拌器を付勢するための付勢手段
を更に備えたことを特徴とする請求項２に記載の食品混合装置。
【請求項４】
前記付勢手段の付勢を克服し、前記フィンガー部を前記カップから解放するための解放アセンブリ
を更に備えたことを特徴とする請求項３に記載の食品混合装置。
【請求項５】
前記解放アセンブリは、前記把持アクチュエータに係合するためのポストを含んでいる
ことを特徴とする請求項４に記載の食品混合装置。
【請求項６】
前記カップホルダは、スロットを含んでおり、
当該スロットは、前記フィンガー部を受容する
ことを特徴とする請求項２に記載の食品混合装置。
【請求項７】
前記カップホルダは、ソケットを含んでおり、更に、当該ソケット内に受容されたバネを含んでおり、
前記バネは、前記フィンガー部を前記カップに係合したままにするように、前記撹拌器を押している
ことを特徴とする請求項２に記載の食品混合装置。
【請求項８】
前記食品混合装置は、当該食品混合装置内に開口部を更に備え、
前記開口部は、縁部によって画定されており、
前記カップホルダは、前記開口部を通って移動し、
シールアセンブリが、前記開口部内に配置されており、前記カップホルダに係合している
ことを特徴とする請求項１に記載の食品混合装置。
【請求項９】
前記シールアセンブリは、第１プレート部と、第２プレート部と、当該プレート部の間に配置されたガスケットと、を含んでおり、
前記ガスケットは、前記カップホルダに係合しており、
前記ガスケットと前記プレート部とは、前記開口部で前記縁部に係合するように接続されている
ことを特徴とする請求項７に記載の食品混合装置。
【請求項１０】
前記食品混合装置は、前記カップホルダの内部に配置され、前記カップを受容する可撓性ブーツを更に備え、
前記フィンガー部は、前記可撓性ブーツを通じて前記カップに係合している
ことを特徴とする請求項２に記載の食品混合装置。
【請求項１１】
前記カップホルダは、内部棚を含んでおり、
当該内部棚は、その中にソケットを有しており、
前記ブーツは、当該ブーツを前記カップホルダに当接させるように前記ソケット内に受容された突出部を有している
ことを特徴とする請求項１０に記載の食品混合装置。
【請求項１２】
前記把持部材は、前記フィンガー部を保持するアームを含んでおり、
前記アームは、前記把持アクチュエータによって係合される円錐形表面を有している
ことを特徴とする請求項２に記載の食品混合装置。
【請求項１３】
前記把持アクチュエータは、アクチュエータ表面を有するアームを含んでおり、
前記アクチュエータ表面は、前記フィンガー部を移動させるように前記円錐形表面に係合する
ことを特徴とする請求項１２に記載の食品混合装置。
【請求項１４】
前記把持部材の前記アームは、前記アクチュエータ表面が前記円錐形表面上を移動している時、回動する
ことを特徴とする請求項１３に記載の食品混合装置。
【請求項１５】
ハウジングと、
前記ハウジング内の開口部と、
前記開口部を通って移動されるように適合されたカップホルダと、
前記開口部の周りで前記ハウジングによって保持されたシールアセンブリと、
を備え、
前記シールアセンブリは、前記カップホルダが前記開口部を通って移動する時、前記カップホルダに係合するように、シール部を含んでいる
ことを特徴とする食品混合装置。
【請求項１６】
縁部が、前記開口部を画定しており、
前記シールアセンブリは、前記縁部に係合している
ことを特徴とする請求項１５に記載の食品混合装置。
【請求項１７】
前記シール部は、ガスケットであり、
前記シールアセンブリは、前記ガスケットを保持する第１プレート部と、第２プレート部と、前記第１プレート部及び前記第２プレート部の間にガスケット及び前記縁部が存在した状態で前記第１プレート部及び前記第２プレート部を当接させるための手段と、を含んでいる
ことを特徴とする請求項１６に記載の食品混合装置。
【請求項１８】
前記カップホルダと共に配置される把持部材と、
前記把持部材が前記カップホルダ内に配置されたカップに選択的に係合し得るというように前記把持部材に対して移動可能なアクチュエータと、
を更に備えたことを特徴とする請求項１５に記載の食品混合装置。
【請求項１９】
カップ内の食品を混合するための撹拌器を有している食品混合装置であって、
ハウジングと、
前記ハウジング内の開口部と、
前記カップを受容するように、且つ、前記開口部を通って移動するように適合されたカップホルダと、
前記ハウジングによって保持されたシールアセンブリであって、前記カップホルダが前記開口部を通って移動する時前記カップホルダに係合するシール部を含んでいるというシールアセンブリと、
把持アクチュエータと、
前記カップホルダ内に配置された把持部材と、
を備え、
前記把持アクチュエータは、当該把持アクチュエータの移動に基づいて前記把持部材が選択的に前記カップに係合しまたは当該カップを解放するというように、前記把持部材に対して移動可能である
ことを特徴とする食品混合装置。
【請求項２０】
カップ内の食品を撹拌器で混合する方法であって、
前記カップをカップホルダ内に配置する工程と、
前記カップホルダ内の前記カップを把持するのと同時に、前記カップを前記撹拌器に向けて移動させる工程と、
前記撹拌器を使用して前記食品を混合する工程と、
前記カップホルダを前記撹拌器から離れるように移動させる工程と、
前記カップを前記カップホルダから解放する工程と、
を備えたことを特徴とする食品混合方法。
【請求項２１】
前記食品混合方法は、前記カップホルダ内に可撓性のブーツを配置する工程を更に備え、
それによって、前記カップを前記カップホルダ内に配置する工程は、前記ブーツ内における前記カップの配置を含んでいる
ことを特徴とする請求項２０に記載の食品混合方法。
【請求項２２】
前記移動工程中、前記カップホルダは、食品混合装置内の開口部を通って移動しており、
前記開口部と、前記カップホルダと、の間に可撓性のシールを設ける工程を更に含んでいる
ことを特徴とする請求項２０に記載の食品混合方法。
【請求項２３】
前記カップを把持する工程は、前記カップに係合するように前記把持部材のフィンガー部を移動させるために、アクチュエータを把持部材に対して付勢させる工程を更に含んでいる
ことを特徴とする請求項２０に記載の食品混合方法。
【請求項２４】
前記解放する工程は、前記フィンガー部を前記カップから解放するために、前記アクチュエータの付勢を克服する工程を含んでいる
ことを特徴とする請求項２３に記載の食品混合方法。
【発明の詳細な説明】
【技術分野】
【０００１】
本発明は、カップ内で食品を混合する装置に関する。特には、本発明は、そのような装置のためのカップ保持アセンブリに関する。より具体的には、本発明は、自動的に、食品がカップ内で混合されている間カップに係合し、混合工程が完了した時カップを解放する、カップ保持アセンブリに関する。
【背景技術】
【０００２】
ファストフードレストランまたは同様のもの等の多くの施設は、食品を、調味料をソフトクリームやスムージーまたは同様のものに混合する等、前記食品を消費するために顧客によって使用されるカップの中で直接混合する。そのような装置が完全に自動化されている場合、それは時間を節約するという利点がある。そのような状況において、カップは、混合される食品によって満たされ、カップホルダ内に配置される。装置の作動中、カップホルダは、回転することができ、上方に移動して撹拌器がカップ内に受容され、カップ内に入れられた食品を混合することを許容する。その後、カップホルダは、ホームポジションまで下方に移動し、装置は、作動しないようにされる。これにより、カップ内で食品が混ぜ合わされており消費される得る状態にある状態で、カップがカップホルダから取り除かれ得る。
【０００３】
この工程に関する問題は、カップが、時々、カップホルダから外れてしまうことである。すなわち、カップホルダ及び撹拌器が回転する時、食品の中で引き起こされる乱流が、カップがカップホルダ内で回転及び／またはふらつく原因となり得る。そのようなことは、食品がカップホルダの外にこぼれることを許容するだけでなく、乱流が十分に大きい場合、カップ自体がカップホルダから外れ得る。そのようなことは、特に、カップが撹拌器によって係合されるほどカップが十分にふらつくことが許容されており、これにより容易にカップホルダから取り外される場合に、起こり得る。
【０００４】
従来技術のある装置に関するさらなる問題は、食品のこぼれたものがカップホルダの外側部上に存在し得ることである。そのようなことは、食品が混合されている時、食品の通常のこぼれに基づいて起こり得る。このことは、カップがいっぱいに詰められた場合にすぐに起こる。または、上述したカップのふらつきに基づいて起こり得る。もし弱まらなければ、そのようなこぼれたものは、その後、カップホルダの側面を流れ落ち、装置の作動部品に流れ込み、当該部品へのコンタミネーションを引き起こす。
【０００５】
したがって、カップホルダ内でカップをしっかりと保持し、さらにカップから食品がこぼれた場合にコンタミネーションを防ぐようにカップホルダの外側部をシールするシステムに対する必要性が、存在する。
【発明の概要】
【０００６】
したがって、本発明の１つの側面の目的は、食品がカップ内で混合されている間カップを把持し、混合工程が完了された時カップを解放するカップ保持アセンブリを伴う食品混合装置を提供することである。
【０００７】
本発明の他の側面の目的は、カップホルダの外縁部の周囲にシール部が設けられたカップ保持アセンブリを提供することである。
【０００８】
本発明のこれらの及び他の目的、及び、以下に続く記載から明らかになる本発明の従来技術の形態に対する利点は、以下に記載され、特許請求の範囲に記載された改良によって達成される。
【０００９】
一般に、本発明の１つの側面による食品混合装置の状態は、カップ内で食品を混合する撹拌器を有しており、カップを内側に受容するように適合されたカップホルダを含んでいる。把持部材は、カップホルダ内に配置されている。把持アクチュエータは、把持アクチュエータの移動中に把持部材が選択的にカップに係合しまたはカップを解放するように、把持部材に対して移動可能である。
【００１０】
本発明の他の側面によれば、食品混合装置は、開口部を有するハウジングを含んでいる。カップホルダは、前記開口部を通って移動されるように適合されている。シールアセンブリが、ハウジングによって保持されており、カップホルダが前記開口部を通って移動する時カップホルダに係合するように、シール部を含んでいる。
【００１１】
これらの側面は、カップ内で食品を混合する撹拌器を有しており、開口部を有するハウジングを含んでいる食品混合装置を提供するように、組み合わされる。カップホルダは、カップを受容し、前記開口部を通って移動するように適合されている。シールアセンブリは、ハウジングによって保持されており、カップホルダが前記開口部を通って移動する時カップホルダに係合するように、シール部を含んでいる。把持部材が、カップホルダ内に配置されている。撹拌器が、アクチュエータの移動中に把持部材が選択的にカップに係合しまたはカップを解放するように、把持部材に対して移動可能である。
【００１２】
本発明は、また、撹拌器でカップ内の食品を混合する方法を考慮しており、当該方法は、カップホルダ内にカップを配置する工程と、カップを撹拌器に向かって移動させつつ、同時にカップホルダ内のカップを保持する工程と、撹拌器を食品を混合するように使用する工程と、カップホルダを撹拌器から離れるように移動させる工程と、カップをカップホルダから解放する工程と、を含んでいる。
【００１３】
本発明の概念による食品混合装置のための好ましい例示されたカップホルダは、本発明が実施され得る様々な形態及び変更の全てを示すように試みることなく、添付の図面に一例として示されており、本発明は、添付の特許請求の範囲によって規定されており、明細書の細部によって規定されているのではない。
【図面の簡単な説明】
【００１４】
【図１】図１は、本発明のカップ保持アセンブリを有する食品混合装置のいくらか概略的な切欠き図である。
【図２】図２は、カップ保持アセンブリの構成要素の分解上面斜視図である。
【図３】図３は、カップ保持アセンブリの構成要素の分解底面斜視図である。
【図４】図４は、カップ保持アセンブリのカップホルダ構成要素の上面斜視図である。
【図５】図５は、カップ保持アセンブリのカップホルダ構成要素の底面斜視図である。
【図６】図６は、カップ保持アセンブリのカップ把持構成要素の斜視図である。
【図７】図７は、カップ保持アセンブリのアクチュエータ構成要素の半身の部品の斜視図である。
【図８】図８は、組み立てられたカップ把持及びアクチュエータアセンブリの斜視図である。
【図９】図９は、切り欠かれたカップを示すカップホルダアセンブリの斜視図である。
【図１０】図１０は、実質的に図１の１０−１０線に沿った断面図である。
【図１１】図１１は、実質的に図１の１１−１１線に沿った断面図である。
【図１２】図１２は、実質的に図１の１２−１２線に沿った断面図であり、カップを把持しているカップ保持アセンブリを示している。
【図１３】図１３は、図１２のような断面図であるが、カップ保持アセンブリから解放されたカップを示している。
【図１４】図１４は、カップ保持アセンブリのためのシール部の構成要素を示す分解上面斜視図である。
【図１５】図１５は、カップ保持アセンブリのためのシール部の構成要素を示す分解底面斜視図である。
【図１６】図１６は、実質的に図１の１６−１６線に沿った断面図である。
【発明を実施するための形態】
【００１５】
食品混合装置が、図１にいくらか概略的に示されており、全体として参照符号２０によって示されている。食品混合装置２０は、ハウジング２１を含んでおり、ハウジング２１は、食品混合装置の構成部品を覆っており、下部プラットフォーム２２と、中間プラットフォーム２３と、上部プラットフォーム２４と、を含んでいる。撹拌器２５が、スプーンの形状で示されており、上部プラットフォーム２４から下方に延びており、プラットフォームの１つによって保持されたモータ（不図示）によって回転される。撹拌器２５は、カップＣ内の食品を混合するように設計されている。移動プレート２６は、プラットフォームの１つによって保持されたモータ（不図示）によって上方に及び下方に移動可能である。以下に更に詳細に記載されるように、移動プレート２６は、また、シャフト２７と、軸受２８と、プラットフォームの１つによって保持されたモータ（不図示）によって駆動されるプーリ２９と、を保持している。典型的な食品混合装置２０とその動作の完全な理解の為に必要なあらゆる詳細に関し、２０１０年７月１７日に出願された米国特許出願第１２／４６０，２７３の参照がなされる。
【００１６】
移動プレート２６は、全体として参照符号３０によって示されるカップ保持アセンブリを保持している。カップ保持アセンブリ３０の基本的な構成は、図２及び図３に示されており、全体として参照符号３１によって示され、硬いプラスチック素材で作られたカップホルダと、ゴムのような素材で作られた可撓性のブーツ３２と、全体として参照符号３３によって示されたカップ把持アセンブリと、全体として参照符号３４によって示され、２つの部品で示された把持アクチュエータアセンブリと、を含んでいる。以下に更に詳細に記載されるように、カップ保持アセンブリは、また、複数のバネ３５を含んでおり、カップ保持アセンブリの構成部品は、ナット３７を受容するボルト３６によって一緒に固定されている。
【００１７】
カップホルダ３１の構造は、おそらく図４及び図５に最適に示されており、全体として円筒状の側壁４０を含んでいる。側壁４０は、フランジ４１が形成されているその頂部において開放されており、その底部４２において開放されている。棚４３が、解放された底部４２の近傍に形成されており、中央開口部４４と、中央開口部４４から径方向に離間された対向されたソケット４５と、を含んでいる。４つのスロット４６が、棚４３の周縁部に形成されており、互いから９０度離間されている。スロット４６は、また、側壁４０の上方へわずかに延びている。ボス４７が、棚４３の中央開口部４４の下に形成されており、また、ボス４８が、ソケット４５の下に形成されている。更に、ソケットボス４９が、棚４３の底部上に形成されており、ボス４８の径方向外側に配設されている。
【００１８】
図６に最適に見られるように、カップ把持アセンブリ３３が、中央ハブ５０を含んでおり、中央ハブ５０は、中央ハブ５０を貫通する開口部５１を有している。基部５２が、ハブ５０から外側に延びており、４つのアームを保持している。４つのアームは、全体として参照符号５３によって示されており、基部５２から上方に延びており、ハブ５０の周囲に９０度で均等に離間されている。リビングヒンジ５４が、アーム５３が基部５３に対して回動可能であるように、各アーム５３と基部５２との結合部に形成されている。各アーム５３は、外部円錐状面５５を含んでおり、外部円錐状面５５は、以下に記載されるように、アーム５３を内側に回動させるようにアクチュエータアセンブリ３４によって係合されている。フィンガー部５６は、内側に向けられたロックタブ５７を有しており、各アーム５３の頂端部に形成されている。
【００１９】
アクチュエータアセンブリ３４は、プラスチック素材を型成形することの容易性のために、２つの同一の半身の部品から形成されたものとして示されているが、１つの部品として形成され得る。２つの半身の部品から形成される時、半身の部品の各々に形成されたピン６０とソケット６１とが、２つの半身の部品の適切なアライメントを保証する。２つの半身の部品は、その後、開口部６２を通して受容されるネジ（不図示）によって互いに結合され得る。そのように組み立てられた時、アクチュエータアセンブリ３４は、全体として円形の基部６３を含んでおり、当該円形の基部６３は、そこから上方に延びる短い側壁６４を有している。円周方向に離間されたアクチュエータアーム６５が、側壁６４から上方に延びており、互いから約９０度離間されている。各アクチュエータアーム６５は、その頂部付近に形成された内側に向けられたリップ部６６を有しており、各リップ部６６は、内側作動面６７を有している。
【００２０】
カップ把持アセンブリ３３とアクチュエータアセンブリ３４とは、これから記載されるように、一緒に組み立てられて、カップホルダ３１の底部内に配置される。図８に示されているように、カップ把持アセンブリ３３は、アクチュエータアセンブリ３４の内側に、そのアーム５３がアクチュエータアセンブリ３４のアーム６５と位置合わせされた状態で、配置されている。そのような位置合わせの容易性のために、アーム６５の１つまたは複数は、作動面６７の縁部から内側に延びるタブ６８が設けられていてよく、これにより、カップ把持アセンブリ３３のアーム５３がタブ６８の間に受容される。そのように配置された時、作動面６７は、カップ把持アセンブリ３３の円錐状面５５に隣接し、さもなければ円錐状面５５を押す。
【００２１】
バネ３５は、カップホルダ３１のソケットボス４９内に挿入され、組み立てられたカップ把持アセンブリ３３とアクチュエータアセンブリ３４は、カップホルダ３１の底部内に挿入される。そのように、バネ３５は、アクチュエータアセンブリ３４の基部６３を押す。また、この時、把持アセンブリ３３のアーム５３のフィンガー部５６は、カップホルダスロット４６を通して露出されており、これにより、フィンガー部５６がカップホルダ３１の内側と連絡することを許容している。ボルト３６は、カップホルダ３１の中央開口部４４を通して挿入されており、且つ、カップ把持アセンブリ３３の開口部５１を通して挿入されている。そして、このように、カップ把持アセンブリ３３は、カップホルダ３１に取り付けられている。しかしながら、アクチュエータアセンブリ３４は、自由にカップホルダ３１内を漂う。図１２及び図１３に示されているように、ボルト３６は、また、カップ保持アセンブリ３０を移動プレート２６に接続するように利用される。
【００２２】
食品を混合するために、カップＣまたは他の容器が、カップ保持アセンブリ３０内に配置される。カップＣまたは他の容器は、カップホルダ３１内に直接配置され得るが、好ましくは、同じくカップホルダ３１によって保持されるブーツ３２内に配置される。そのために、ブーツ３２は、カップホルダ３１の内側のように成形されており、ブーツ３２の底部上に形成された突出部６９を含んでいる。突出部６９は、ブーツ３２を所定の位置に固定するために、カップホルダ３１のソケット４５にスナップ留めされる。また、ブーツ３２は、上部周辺リップ部７０が設けられており、上部周辺リップ部７０は、図１０乃至図１３に最適に見られるように、カップホルダ３１の頂部フランジ４１に係合する。フィンガー部５６は、またはより具体的にはロックタブ５７は、ブーツ内のカップＣに係合するように、ブーツ３２を押す。ブーツ３２の存在は、フィンガー部５６によって引き起こされ得る、可能性のあるあらゆる損傷からカップを保護する。可撓性のブーツ３２の存在によっても、わずかにサイズの異なるカップに適応する。
【００２３】
図１に示されるように、より具体的には図１２に示されるように、移動プレート２６が高い位置にある時、食品は、カップＣ内で撹拌器２５によって混合されている。同時に、カップ保持アセンブリ３０は、シャフト２７を中心に回転されている。しかし、カップＣは、カップ保持アセンブリと共に回転することが防止されている。なぜなら、この位置では、バネ３５の付勢がアーム６５、特にはその作動面６７を低い位置に保ち、または、カップ把持アセンブリ３３のアーム５３を同様に内側に向けて押す把持アセンブリ３３の円錐状面５５がヒンジ５４を中心に回動したままであるようにする。この状態は、図１２に示されている。しかし、移動プレート２６が図１３の位置まで下方に移動する時、これは混合プロセスが完了したことを示すものであるが、カップＣに対するグリップは、全体として参照符号８０によって示され、これから説明される解放開始アセンブリによって、解放される。
【００２４】
図１に最適に示されるように、解放開始アセンブリ８０は、下部プラットフォーム２２に取り付けられたブラケット８１を含んでいる。ブラケット８１は、複数の起立したポスト８２を保持しており、ポスト８２は、ブラケット８１の上面８３上に貫設されネジ嵌めされたネジの形態で示されている。移動プレート２６が図１３の位置に近づくと、ポスト８２は、アクチュエータアセンブリ３４の基部６３の底部に接触する。そのようにして、バネ３５の付勢を克服し、アクチュエータアセンブリ３４が把持アセンブリ３３に対して移動することを許容する。そのため、アクチュエータアセンブリ３４の作動面６７は、カップ把持アセンブリ３３の円錐状面５５を上昇し、このことは、カップＣがカップ保持アセンブリ３０から取り外され得るように、アーム５３がカップＣから離れるように回動してグリップを解放することを許容する。
【００２５】
カップ保持アセンブリ３０が上方向及び下方向に移動している時、カップ保持アセンブリ３０は、中間プラットフォーム２３またはハウジング２１の同様の領域に形成された開口部９０（図１２及び図１３）を通り抜けている。このように、開口部９０は、その下方に位置する装置構成物品へのアクセスを提供し、それは基本的に下部プラットフォーム２２上に存在し得る。食品の漏れたものはしばしばカップホルダ３１の外部に堆積し、さもなければ当該外部を流れ落ち、開口部９０を通り抜ける可能性があるので、全体として参照符号９１によって示され、図１４乃至図１６に最適に示されたシールアセンブリが、設けられている。
【００２６】
シールアセンブリ９１は、全体として参照符号９３によって示された上部プラスチックプレートと、全体として参照符号９４によって示された下部プラスチックプレートと、の間に保持される弾性ガスケット９２を含んでいる。上部プレート９３は、リングの形状で示されており、そこから下方に延びる３つのボス９５を有している。上部プレート９３のリングの内側下方周縁部９６は、その中に圧入され得るガスケット９２を受容する。下部プレート９４は、また、リング状に成形されており、3つの凹部９７が設けられている。凹部９７は、ボス９５をその中に受容する。締結部９８が、シールアセンブリと、プラットフォーム２３の開口部９０における縁部であって図１６に示されるようにその間に挟まれた縁部と、を一緒に保持するように設けられている。図１６に示されているように、ガスケット９２は、カップホルダが開口部９０を通過する時、ガスケット９２がカップホルダ３１を押すように、開口部９０内に延びている。ハウジングプラットフォームの縁部は、上部プレート９３と、下部プレート９４と、の間に、締結部９８による付着の効力により保持されている。
【００２７】
前述のことを考慮すると、ここに記載されたように構成された食品混合装置が技術を改良し、あるいは実質的に本発明の目的を達成するということは、このように明らかである。
【図１】
2013521929.tif 000003
【図２】
2013521929.tif 000004
【図３】
2013521929.tif 000005
【図４】
2013521929.tif 000006
【図５】
2013521929.tif 000007
【図６】
2013521929.tif 000008
【図７】
2013521929.tif 000009
【図８】
2013521929.tif 000010
【図９】
2013521929.tif 000011
【図１０】
2013521929.tif 000012
【図１１】
2013521929.tif 000013
【図１２】
2013521929.tif 000014
【図１３】
2013521929.tif 000015
【図１４】
2013521929.tif 000016
【図１５】
2013521929.tif 000017
【図１６】
2013521929.tif 000018
【手続補正書】
【提出日】平成24年12月13日(2012.12.13)
【手続補正１】
【補正対象書類名】明細書
【補正対象項目名】００１５
【補正方法】変更
【補正の内容】
【００１５】
食品混合装置が、図１にいくらか概略的に示されており、全体として参照符号２０によって示されている。食品混合装置２０は、ハウジング２１を含んでおり、ハウジング２１は、食品混合装置の構成部品を覆っており、下部プラットフォーム２２と、中間プラットフォーム２３と、上部プラットフォーム２４と、を含んでいる。撹拌器２５が、スプーンの形状で示されており、上部プラットフォーム２４から下方に延びており、プラットフォームの１つによって保持されたモータ（不図示）によって回転される。撹拌器２５は、カップＣ内の食品を混合するように設計されている。移動プレート２６は、プラットフォームの１つによって保持されたモータ（不図示）によって上方に及び下方に移動可能である。以下に更に詳細に記載されるように、移動プレート２６は、また、シャフト２７と、軸受２８と、プラットフォームの１つによって保持されたモータ（不図示）によって駆動されるプーリ２９と、を保持している。典型的な食品混合装置２０とその動作の完全な理解の為に必要なあらゆる詳細に関し、２００９年７月１７日に出願された米国特許出願第１２／４６０，２７３の参照がなされる。
【手続補正２】
【補正対象書類名】特許請求の範囲
【補正対象項目名】請求項３
【補正方法】変更
【補正の内容】
【請求項３】
前記食品混合装置は、前記フィンガー部が前記カップに係合するというように前記把持アクチュエータを付勢するための付勢手段
を更に備えたことを特徴とする請求項２に記載の食品混合装置。
【手続補正３】
【補正対象書類名】特許請求の範囲
【補正対象項目名】請求項７
【補正方法】変更
【補正の内容】
【請求項７】
前記カップホルダは、ソケットを含んでおり、更に、当該ソケット内に受容されたバネを含んでおり、
前記バネは、前記フィンガー部を前記カップに係合したままにするように、前記把持アクチュエータを押している
ことを特徴とする請求項２に記載の食品混合装置。
【手続補正４】
【補正対象書類名】特許請求の範囲
【補正対象項目名】請求項１８
【補正方法】変更
【補正の内容】
【請求項１８】
前記カップホルダ内に配置された把持部材と、
前記把持部材が前記カップホルダ内に配置されたカップに選択的に係合しまたは当該カップを開放し得るというように前記把持部材に対して移動可能なアクチュエータと、
を更に備えたことを特徴とする請求項１５に記載の食品混合装置。
【国際調査報告】
2013521929.tif 000019
2013521929.tif 000020
2013521929.tif 000021
2013521929.tif 000022
2013521929.tif 000023